(57)【要約】【課題】断熱性パネル壁に透光部を設けつつ、遮光のための部品を新たに設けることなく採光と遮光を切り替えることのできる可動壁を提供する。【解決手段】建物開口部の室内側縁部に設けられる額縁２によって形成される開口内に、断熱性パネル壁３０、３１が室内外引き違い状に設けられ、室内外の断熱性パネル壁はそれぞれ額縁２によって形成される開口内において左右いずれにも閉じることが可能となるように納められ、室内側の断熱性パネル壁３０は非透光性パネル３６の左右一側部に透光部３７を有してなり、室外側の断熱性パネル壁３１は非透光性パネル３６の左右他側部に透光部３７を有してなり、透光部３７を有する側が召合わせ部となるように室内外の断熱性パネル壁３０、３１が閉じたときに、室内外の透光部３７はそれぞれ召し合わされる断熱性パネル壁３０、３１の非透光性パネル３６と室内外方向に対向する。【選択図】図２
2013209849.tif 000002
【特許請求の範囲】
【請求項１】
建物開口部の室内側縁部に設けられる額縁によって形成される開口内に配置される断熱性パネル壁を有した可動壁において、
前記断熱性パネル壁は室内外引き違い状に設けられ、室内外の前記断熱性パネル壁はそれぞれ前記額縁によって形成される開口内において左右いずれにも閉じることが可能となるように納められ、
室内側の前記断熱性パネル壁は非透光性パネルの左右一側部に透光部を有してなり、室外側の前記断熱性パネル壁は非透光性パネルの左右他側部に透光部を有してなり、前記透光部を有する側が召合わせ部となるように室内外の前記断熱性パネル壁が閉じたときに、室内外の前記透光部はそれぞれ召し合わされる前記断熱性パネル壁の非透光性パネルと室内外方向に対向することを特徴とする可動壁。
【請求項２】
前記透光部は前記断熱性パネル壁の一側部の縦方向略全長に渡るスリット状に形成されてなることを特徴とする請求項１記載の可動壁。
【請求項３】
前記額縁には、上下辺の長手方向に沿って案内部材が設けられ、該案内部材は室内外の前記断熱性パネル壁を保持すると共に、長手方向に沿って移動自在とすることを特徴とする請求項１または２記載の可動壁。
【発明の詳細な説明】
【技術分野】
【０００１】
本発明は、建物開口部の室内側縁部に設けられる額縁に対し取付けられる断熱性パネル壁を有した可動壁に関し、特に断熱性パネル壁を引き違い状として開閉を可能とした可動壁に関する。
【背景技術】
【０００２】
建物開口部に取付けられるサッシの室内側には、四周に渡って額縁が取付けられる。サッシの断熱性や遮音性を高めるため、額縁に内窓を取付けることが広く行われている。この場合の内窓は、枠体内に障子を納めた一般的なサッシの構成を有している。このため、断熱性をある程度高くすることはできるが、障子のガラス体等を通じて熱の出入りはあるため、建物の壁面よりは断熱性に劣る。
【０００３】
建物開口部における断熱性を、建物の壁面と同等まで高くするため、サッシの室内側に断熱性パネル壁からなる壁体を設けることが提案されている。断熱性パネル壁は、断熱性の高い板状の部材からなり、額縁に囲まれた領域を断熱性パネル壁で室内側から覆ってしまうことにより、建物開口部の断熱性を建物の壁面と同等まで向上させることができる。このような壁体としては、例えば特許文献１に挙げるようなものがある。
【先行技術文献】
【特許文献】
【０００４】
【特許文献１】特開２０１０−９５９７６号公報
【発明の概要】
【発明が解決しようとする課題】
【０００５】
特許文献１に挙げるような壁体は、採光や換気は不能であるが、壁体であっても採光や換気を行うことのできるものも求められている。このため、断熱性パネル壁を開閉できるように構成した可動壁も提案されている。断熱性パネル壁を開閉できれば、採光及び換気は可能となる。
【０００６】
しかし、断熱性パネル壁の開閉により採光するのでは、断熱性パネル壁を閉じたまま採光だけ行うことができない。そこで、断熱性パネル壁に採光のための小窓を取付けることが考えられるが、採光しないときのために小窓に蓋や扉を設ける必要があり、部品点数が増加してコストアップを招くと共に、耐久性の面でも問題があった。
【０００７】
本発明は前記課題を鑑みてなされたものであり、断熱性パネル壁に透光部を設けつつ、遮光のための部品を新たに設けることなく採光と遮光を切り替えることのできる可動壁を提供することを目的とする。
【課題を解決するための手段】
【０００８】
前記課題を解決するため、本発明に係る可動壁は、建物開口部の室内側縁部に設けられる額縁によって形成される開口内に配置される断熱性パネル壁を有した可動壁において、
前記断熱性パネル壁は室内外引き違い状に設けられ、室内外の前記断熱性パネル壁はそれぞれ前記額縁によって形成される開口内において左右いずれにも閉じることが可能となるように納められ、
室内側の前記断熱性パネル壁は非透光性パネルの左右一側部に透光部を有してなり、室外側の前記断熱性パネル壁は非透光性パネルの左右他側部に透光部を有してなり、室内外の前記断熱性パネル壁を、前記透光部を有する側が召合わせ部となるように閉じたときに、室内外の前記透光部はそれぞれ召し合わされる前記断熱性パネル壁の非透光性パネルと室内外方向に対向することを特徴として構成されている。
【０００９】
また、本発明に係る可動壁は、前記透光部は前記断熱性パネル壁の一側部の縦方向略全長に渡るスリット状に形成されてなることを特徴として構成されている。
【００１０】
さらに、本発明に係る可動壁は、前記額縁には、上下辺の長手方向に沿って案内部材が設けられ、該案内部材は室内外の前記断熱性パネル壁を保持すると共に、長手方向に沿って移動自在とすることを特徴として構成されている。
【発明の効果】
【００１１】
本発明に係る可動壁によれば、断熱性パネル壁が室内外召合わせ状に配置され、室内側の断熱性パネル壁は非透光性パネルの左右一側部に透光部を有し、室外側の断熱性パネル壁は非透光性パネルの左右他側部に透光部を有し、室内外の断熱性パネル壁を、透光部を有する側が召合わせ部となるように閉じたときに、室内外の透光部はそれぞれ召し合わされる断熱性パネル壁の非透光性パネルと室内外方向に対向することにより、室内外の断熱性パネル壁の閉じ方を左右反対にするだけで、遮光状態と採光状態を切替えることができ、しかも、召し合わされる非透光性パネルによって透光部を遮光するため、透光部を塞ぐための部品を別に設ける必要がなく、また、額縁の開口形状を、透光部を隠すことができるように形成する必要もないから、採光・遮光を切替えることのできる可動壁を低コストに構成することができる。
【００１２】
また、本発明に係る可動壁によれば、透光部は断熱性パネル壁の一側部の縦方向略全長に渡るスリット状に形成されてなることにより、透光部の面積をできるだけ大きくして、より多くの採光をなすことができる。
【００１３】
さらに、本発明に係る可動壁によれば、額縁には、上下辺の長手方向に沿って案内部材が設けられ、案内部材は室内外の断熱性パネル壁を保持すると共に、長手方向に沿って移動自在とすることにより、額縁上下辺だけの簡単な部品で断熱性パネル壁を保持すると共に、移動させることができるから、さらなる低コスト化を図ることができる。
【図面の簡単な説明】
【００１４】
【図１】本実施形態の可動壁を含む建物開口部の縦断面図である。
【図２】本実施形態の可動壁を含む建物開口部の横断面図である。
【図３】図２のように内外断熱性パネル壁を閉じた際に可動壁を室内側から見た正面図である。
【図４】図２と左右反対に内断熱性パネル壁と外断熱性パネル壁を配置した場合の、可動壁を含む建物開口部の横断面図である。
【図５】図４のように内外断熱性パネル壁を閉じた際に可動壁を室内側から見た正面図である。
【発明を実施するための形態】
【００１５】
本発明の実施形態について図面に沿って詳細に説明する。図１には本実施形態の可動壁を含む建物開口部の縦断面図を、図２には本実施形態の可動壁を含む建物開口部の横断面図を、それぞれ示している。建物開口部には、室外側に面する部分にサッシ１が設けられており、その室内側縁部には四周に渡って額縁２が設けられている。そして、額縁２の室内端部に可動壁３が設けられている。
【００１６】
サッシ１は、方形状に枠組みされてなる枠体１０内に内障子１１及び外障子１２が引き違い状に納められてなる引き違いサッシである。内障子１１と外障子１２の召合わせ部分には、上下中央部にクレセントからなる錠装置４が設けられており、これによって内障子１１と外障子１２を室内側から施解錠することができる。枠体１０の室内側面より室内側には、それぞれ木製の上額縁材２０と下額縁材２１及び左右の縦額縁材２２、２２からなる額縁２が配設されていて、サッシ１の室内側には額縁２の内周面による開口が形成される。
【００１７】
可動壁３は、内断熱性パネル壁３０と外断熱性パネル壁３１とが室内外引き違い状となるように、額縁２の内周面に設けられる。上額縁材２０の内周面には、長手方向に沿って案内部材３８が設けられている。案内部材３８は、室内側と室外側にそれぞれ凹状の内保持部３８ａと外保持部３８ｂを備え、内断熱性パネル壁３０と外断熱性パネル壁３１の各上辺を保持すると共に、左右方向にそれぞれ移動可能としている。また、下額縁材２１の内周面には、長手方向に沿って下案内部材３９が設けられている。下案内部材３９は、室内側と室外側にそれぞれ突出状の内案内部４０ａと外案内部４０ｂを備えており、内断熱性パネル壁３０の下端に形成される凹部３２ａと外断熱性パネル壁３１の下端に形成される凹部３２ａにそれぞれ挿入されることで、内断熱性パネル壁３０と外断熱性パネル壁３１の各下辺を保持すると共に、左右方向にそれぞれ移動可能としている。
【００１８】
案内部材３８と下案内部材３９は、いずれも室内端部が額縁２の室内面と同位置にある。また、内断熱性パネル壁３０と外断熱性パネル壁３１の案内部が隣接すると共に、一体的に形成されているので、案内部材３８と下案内部材３９を額縁２の室内面に合わせて取付けるだけで、これらの額縁２に対する位置決めを容易になすことができると共に、内断熱性パネル壁３０及び外断熱性パネル壁３１を配置する位置決めも容易に行うことができる。
【００１９】
内断熱性パネル壁３０と外断熱性パネル壁３１は、それぞれ額縁２により形成される開口内を、左右方向一端から他端まで移動することができる。図２では、内断熱性パネル壁３０が図中左側に、外断熱性パネル壁３１が図中右側に、それぞれ配置されて閉じているが、内断熱性パネル壁３０を図中右側に、外断熱性パネル壁３１を図中左側に、それぞれ配置して閉じることもできる。
【００２０】
内断熱性パネル壁３０と外断熱性パネル壁３１は、それぞれ上下の横フレーム部３２、３２と、左右の縦フレーム部３３、３３で四周端部を構成している。また、左右の縦フレーム部３３、３３の間には、２つの縦中間フレーム部３４、３４が設けられている。このため、内断熱性パネル壁３０と外断熱性パネル壁３１には、上下の横フレーム部３２、３２と一方（図中左側）の縦フレーム部３３及びそれに隣接する縦中間フレーム部３４に囲まれた領域と、上下の横フレーム部３２、３２と２つの縦中間フレーム部３４、３４に囲まれた領域と、上下の横フレーム部３２、３２と他方（図中右側）の縦フレーム部３３及びそれに隣接する縦中間フレーム部３４に囲まれた領域の、３つの領域が形成され、それぞれにパネル部が取付けられる。
【００２１】
内断熱性パネル壁３０と外断熱性パネル壁３１の上辺を構成する横フレーム部３２、３２には、それぞれ気密材３９、３９が取付けられており、これらが案内部材３８に当接することで、内外断熱性パネル壁３０、３１の上辺における気密性を確保している。また、内断熱性パネル壁３０と外断熱性パネル壁３１の左右の縦フレーム部３３には、それぞれ気密材３９、３９が取付けられており、これらが縦額縁材２２に当接することで、内外断熱性パネル壁３０、３１の縦辺における気密性を確保している。
【００２２】
内断熱性パネル壁３０において、上下の横フレーム部３２、３２と図中左側の縦フレーム部３３及びそれに隣接する縦中間フレーム部３４に囲まれた領域と、上下の横フレーム部３２、３２と２つの縦中間フレーム部３４、３４に囲まれた領域には、光を通さないパネル状の遮光部３５、３５が設けられ、全体として非透光性パネル３６を構成している。非透光性パネル３６の一側部を構成する上下の横フレーム部３２、３２と図中右側の縦フレーム部３３及びそれに隣接する縦中間フレーム部３４に囲まれた領域には、光を通すパネル状の透光部３７が設けられる。
【００２３】
外断熱性パネル壁３１において、上下の横フレーム部３２、３２と図中右側の縦フレーム部３３及びそれに隣接する縦中間フレーム部３４に囲まれた領域と、上下の横フレーム部３２、３２と２つの縦中間フレーム部３４、３４に囲まれた領域には、光を通さないパネル状の遮光部３５、３５が設けられ、全体として非透光性パネル３６を構成している。非透光性パネル３６の一側部を構成する上下の横フレーム部３２、３２と図中左側の縦フレーム部３３及びそれに隣接する縦中間フレーム部３４に囲まれた領域には、光を通すパネル状の透光部３７が設けられる。
【００２４】
内断熱性パネル壁３０を構成する２つの縦中間フレーム部３４、３４には、それぞれ長手方向に沿って気密材３９、３９が取付けられている。図２では、図中右側の縦中間フレーム部３４に取付けられた気密材３９が、外断熱性パネル壁３１の縦中間フレーム部３４に対して当接している。内断熱性パネル壁３０と外断熱性パネル壁３１を左右反対に閉じた際には、図中左側の縦中間フレーム部３４に取付けられた気密材３９が、外断熱性パネル壁３１の縦中間フレーム部３４に対し当接することとなる。この気密材３９により、内外断熱性パネル壁３０、３１の召合わせ部における気密性及び遮光性を確保している。
【００２５】
内断熱性パネル壁３０と外断熱性パネル壁３１の各透光部３７、３７を合わせた幅は、内外断熱性パネル壁３０、３１の召合わせ幅より小さいため、図２のように透光部３７を有する側を召合わせ部となるように内外断熱性パネル壁３０、３１を閉じた際に、室内外方向に重なり合わず、対向する断熱性パネル壁の非透光性パネル３６の部分と対向する。
【００２６】
図３には、図２のように内外断熱性パネル壁３０、３１を閉じた際に可動壁３を室内側から見た正面図を示している。内断熱性パネル壁３０の一側部に設けられた透光部３７は、外断熱性パネル壁３１の非透光性パネル３６と室内外方向に対向しているので、室外側の光を室内側に透過させることがない。また、外断熱性パネル壁３１の一側部に設けられた透光部３７は、内断熱性パネル壁３０の非透光性パネル３６と室内外方向に対向しているので、図３では内断熱性パネル壁３０の裏側に隠れており、これも同様に室外側の光を室内側に透過させることがない。すなわち、内断熱性パネル壁３０と外断熱性パネル壁３１を図２及び図３の配置関係とした場合、可動壁３は室内外を完全に遮光する。
【００２７】
図４には、図２と左右反対に内断熱性パネル壁３０と外断熱性パネル壁３１を配置した場合の、可動壁を含む建物開口部の横断面図を示している。この図は、内断熱性パネル壁３０と外断熱性パネル壁３１を、それぞれ透光部３７を有する側が縦額縁材２２の内周面に隣接する側に配置されるように閉じた状態を表している。この場合には、透光部３７、３７が、それぞれ額縁２によって形成される開口の左右両側に配置されるから、各透光部３７、３７を介して室外側の光を室内側に取り込むことができる。
【００２８】
図５には、図４のように内外断熱性パネル壁３０、３１を閉じた際に可動壁３を室内側から見た正面図を示している。各透光部３７、３７は、内外断熱性パネル壁３０、３１の側部において、縦方向略全長に渡るスリット状に形成されている。このように、内外断熱性パネル壁３０、３１の閉じ方を図４のようにすることで、可動壁３の左右両側に透光部３７、３７が配置されて、採光をなすことができる。
【００２９】
以上のように、内断熱性パネル壁３０と外断熱性パネル壁３１を引き違い状に配置し、内断熱性パネル壁３０については非透光性パネル３６の左右一側部に透光部３７を設け、外断熱性パネル壁３１については非透光性パネル３６の左右他側部に透光部３７を設け、各透光部３７、３７を合わせた幅が、内外断熱性パネル壁３０、３１の召合わせ長さより狭い幅とすることで、内外断熱性パネル壁３０、３１につき、透光部３７、３７の側を召合わせた場合には、各透光部３７、３７は召し合わされる非透光性パネル３６、３６と対向するので、可動壁３を遮光状態とすることができ、内外断熱性パネル壁３０、３１につき、透光部３７、３７の側をそれぞれ左右の縦額縁材２２、２２側に配置した場合には、各透光部３７、３７が額縁２によって形成される開口の左右両側に配置されるので、可動壁３を採光状態とすることができる。すなわち、内外断熱性パネル壁３０、３１の閉じ方を左右反対にするだけで、可動壁３の遮光状態と採光状態を切替えることができる。しかも、召し合わされる非透光性パネル３６によって透光部３７を遮光するようにしているので、透光部３７を塞ぐための部品を別に設ける必要がなく、また、額縁２の開口形状を、透光部３７を隠すことができるように形成する必要もないから、採光・遮光を切替えることのできる可動壁３を低コストに構成することができる。
【００３０】
以上、本発明の実施形態について説明したが、本発明の適用は本実施形態には限られず、その技術的思想の範囲内において様々に適用されうるものである。
【符号の説明】
【００３１】
１    サッシ
２    額縁
３    可動壁
１０    枠体
１１    内障子
１２    外障子
２０    上額縁材
２１    下額縁材
２２    縦額縁材
３０    内断熱性パネル壁
３１    外断熱性パネル壁
３２    横フレーム部
３３    縦フレーム部
３４    縦中間フレーム部
３５    遮光部
３６    非透光性パネル
３７    透光部
３８    案内部材
３９    気密材
【図１】
2013209849.tif 000003
【図２】
2013209849.tif 000004
【図３】
2013209849.tif 000005
【図４】
2013209849.tif 000006
【図５】
2013209849.tif 000007